(57)【要約】【課題】立ったままの姿勢で育苗箱を育苗床に順次移設することができるので作業効率に優れていると共に、身体的負担も大幅に軽減することができ、また育苗箱間の空隙も目見当によらずに容易かつ正確に設定できる育苗箱列設装置を提供する。【解決手段】育苗箱列設機１は、上下が開放し、内部に複数個の育苗箱を収納する収納枠２と、収納枠２に設けられ、操作杆９の操作により育苗箱を係脱可能に挟持する一対の箱支持材５、５を有する育苗箱配列機構３と、収納枠２の片側外側に設けた支持車輪とから構成してある。育苗箱列設機１は、支持車輪を誘導するレール１３を有し、育苗床に列設した育苗箱上に載置する踏み板１１上を走行する。【選択図】  図１
0003127527.tif 000002
【実用新案登録請求の範囲】
【請求項１】
上下が開放し、内部に複数個の育苗箱を収納する収納枠と、該収納枠に支持され、操作杆の操作により前記育苗箱を係脱可能に挟持する一対の箱支持材を有する育苗箱配列機構と、前記収納枠の片側外側に設けた支持車輪とから育苗箱列設機を構成し、該育苗箱列設機は前記支持車輪を誘導するガイド部を有し、育苗床に列設した育苗箱上に載置する踏み板上を走行するように構成してなる育苗箱列設装置。
【請求項２】
上下が開放し、育苗箱を縦積みに収納する収納枠と、該収納枠の対向する枠板に回動可能に支持されて前記育苗箱を下側から支持し、収納枠の上方に突出する操作杆の操作により拡開して該育苗箱を開放する一対の箱支持材を有する育苗箱配列機構と、前記操作杆の側に位置して前記収納枠の片側外側に軸支した支持車輪とから育苗箱列設機を構成し、該育苗箱列設機は育苗床に列設した育苗箱上に載置され、前記支持車輪をガイド部が誘導する踏み板上を走行するように構成してなる育苗箱列設装置。
【請求項３】
前記一対の箱支持材は、前記育苗箱を支持する方向に常時ばね力によって付勢していることを特徴とする請求項１又は２記載の育苗箱列設装置。
【請求項４】
前記支持車輪は、前記収納枠に軸線を傾けて設けてあることを特徴とする請求項１又は２記載の育苗箱列設装置。
【請求項５】
前記踏み板には、列設する育苗箱間に隙間を形成するためのゲージを設けてあることを特徴とする請求項１又は２記載の育苗箱列設装置。
【請求項６】
前記踏み板のガイド部は、凸状のレール又は凹状の溝であることを特徴とする請求項１又は２記載の育苗箱列設装置。
【考案の詳細な説明】
【技術分野】
【０００１】
本考案は、稲、長ネギ、玉葱等の苗を成育したポットを収容した育苗箱をハウスの育苗床に列設するための育苗箱列設装置に関する。
【背景技術】
【０００２】
従来、育苗箱を育苗床に列設する作業は、育苗床に列設して行く方向に対して直角方向に一対のレールを設けた踏み板を配置し、列設する複数個の育苗箱を積んだ台車をこのレール上で移動させながら育苗箱を順次育苗床に移設することにより行っている。
【０００３】
ところで、プラスチック製の育苗箱は消耗品であることから耐熱性まで考慮して素材を選定していない。このため、隣接する育苗箱を接触した状態で列設すると、育苗箱はハウス内の温度によって次第に膨張し、隣接する育苗箱同士が接触してせり上がって傾いてしまう事態になることから、育苗箱の周囲には２〜５ｍｍの空隙を設けて列設するようにしている。
【考案の開示】
【考案が解決しようとする課題】
【０００４】
上述した従来技術では、複数個の育苗箱を積み込んだ台車から育苗箱を育苗床に移設する作業は腰を屈めた或いはしゃがみ込んだ姿勢で行うが、育苗箱は重量もあるし軟質で持ち辛いため、重労働であると共に身体的負担が大きく作業効率が悪いという問題、横移動のために横歩きすることから足腰に大きな負担か掛るという問題がある。
【０００５】
また、育苗箱の熱膨張の問題を解消するために隣接する育苗箱の間に空隙を設けるが、従来は目見当で空隙を形成しているため不揃いになるし、作業に手間が掛り作業効率を阻害しているという問題がある。更に、マイコンにより制御する自動式の育苗箱列設装置も使用されているが、価格が高く重量もあり、事前の準備が面倒であるし、育苗床の状況によって誤差が生じることから整然と列設することができないという問題がある。
【０００６】
本考案は上述した従来技術の諸欠点に鑑みなされたもので、立ったままの姿勢で育苗箱を育苗床に順次移設することができるので作業効率に優れていると共に、身体的負担も大幅に軽減することができ、また育苗箱間の空隙も目見当によらずに容易かつ正確に設定できるので極めて能率的である育苗箱列設装置を提供することを目的とする。
【課題を解決するための手段】
【０００７】
上述した課題を解決するために構成した請求項１に係る本考案の手段は、上下が開放し、内部に複数個の育苗箱を収納する収納枠と、該収納枠に支持され、操作杆の操作により前記育苗箱を係脱可能に挟持する一対の箱支持材を有する育苗箱配列機構と、前記収納枠の片側外側に設けた支持車輪とから育苗箱列設機を構成し、該育苗箱列設機は、前記支持車輪を誘導するガイド部を有し、育苗床に列設した育苗箱上に載置する踏み板上を走行するようにしたものからなる。
【０００８】
また、請求項２に係る本考案を構成する手段は、上下が開放し、育苗箱を縦積みに収納する収納枠と、該収納枠の対向する枠板に回動可能に支持されて前記育苗箱を下側から支持し、収納枠の上方に突出する操作杆の操作により拡開して該育苗箱を開放する一対の箱支持材を有する育苗箱配列機構と、前記操作杆の側に位置して前記収納枠の片側外側に軸支した支持車輪とから育苗箱列設機を構成し、該育苗箱列設機は育苗床に列設した育苗箱上に載置され、前記支持車輪をガイド部が誘導する踏み板上を走行するようにしたものからなる。
【０００９】
そして、前記一対の箱支持材は、前記育苗箱を支持する方向に常時ばね力によって付勢する構成にするとよい。
【００１０】
また、前記支持車輪は、前記収納枠に軸線を傾けて設けるとよい。
【００１１】
更に、前記踏み板には、列設する育苗箱間に隙間を形成するためのゲージを設けるとよい。
【００１２】
更に、前記踏み板のガイド部は、凸状のレール又は凹状の溝のいずれかであるとよい。
【考案の効果】
【００１３】
本考案は以上の如く構成したから、下記の諸効果を奏する。
（１）立ったままの状態で操作杆を押動し、また引き寄せる操作だけで収納枠内の育苗箱を育苗床に移設できるから、作業効率に優れているし、身体的負担も大幅に軽減することができる。
（２）支持車輪を介して踏み板のガイド部に支持された収納枠は、操作杆を横方向に押動するだけで容易に走行させることができるから、育苗箱の育苗床への移設、横移動、育苗箱の移設という連続作業を容易に効率よく行うことができるし、身体的負担もない。
（３）踏み板には隣接する育苗箱同士の間に空隙を形成するためのゲージが設けてあるから、目見当によらずに正確な空隙を簡単に形成することができる。
（４）一対の箱支持材は、育苗箱を支持する方向に常時ばね力によって付勢してあるから、操作杆を作動しなくても育苗箱を支持した状態にできるし、不用意に落下する事態を防止できる。
（５）支持車輪は、収納枠の片側外側に軸線を傾けて設けてあるから、操作杆を引くことにより収納枠は前側が浮いた傾斜した状態になり、容易に走行させることができる。
【考案を実施するための最良の形態】
【００１４】
以下、本考案の実施の形態を図面に基づき説明する。図において、１は育苗箱列設機、２は該育苗箱列設機１を構成し、内部に複数個の育苗箱Ａを縦積みの状態で収納する収納枠を示す。該収納枠２は、下端側がＬ字状に屈曲して接地片２Ａ１となった前側枠板２Ａと、該前側枠板２Ａと対向する後側枠板２Ｂと、該前側枠板２Ａ及び後側枠板２Ｂを両端で連結する連結枠板２Ｃ、２Ｃとから上下が開放し、深さのある四角形の枠状からなり、前側及び後側枠板２Ａ、２Ｂの夫々には横長の開口２Ｄ、２Ｄが形成してある。
【００１５】
３は前記収納枠２内の育苗箱Ａを支持すると共に、育苗床に移設するための育苗箱配列機構を示す。４、４は該育苗箱配列機構３を構成し、前記前側枠板２Ａ及び後側枠板２Ｂに長手方向に沿って回動可能に横設した支持ロッド、５は該各支持ロッド４に吊下した箱支持材で、該箱支持材５は横長板状の基部５Ａと、該基部５Ａの下端から直角方向に内向きに屈曲形成され、育苗箱Ａを下側から支持する支持部５Ｂとから略Ｌ字状に形成してある。６は前記各支持ロッド４の両軸端に固着された回動片で、前側と後側に位置する回動片６、６間には引張りばね７が張設してあり、対向する一対の支持部５Ｂ、５Ｂを常時は収納枠２内に突出する方向に付勢している。
【００１６】
８は一対の箱支持材５、５を連動して拡開させるためのリンク機構を示し、該リンク機構８は基端側が各回動片６に固着され、先端側に長孔からなるガイド孔８Ａ１と該ガイド孔８Ａ１内を摺動するピン８Ｂ１を夫々設けた棒状の一対のリンク材８Ａ、８Ｂにより構成してある。
【００１７】
９は箱支持材５、５を開閉操作し、また収納枠２を傾斜させると共に横移動させるための操作杆を示す。該操作杆９は基端側が後側の回動片６，６に固着され、湾曲状に屈曲して収納枠２の上方に突出する一対の作動杆９Ａ、９Ａと、該作動杆９Ａ、９Ａの上端に連結する押動杆９Ｂとから略冂字状に形成してある。そして、前記引張りばね７のばね力に抗して操作杆９を矢示イ方向の前方に押動すると、回動片６が回転して一側の支持部５Ｂが収納枠２の外方に後退し、リンク機構８により他側の回動片６も回転して他側の支持部３Ｂが外方に後退する結果、支持していた育苗箱Ａを育苗床に移設することができる。
【００１８】
１０、１０は収容枠２の片側である後側枠板２Ｂの外側に横方向に離間して軸支した一対の支持車輪を示す。該各支持車輪１０は後述するレール１３に嵌合する溝付き車輪にすることにより、列設作業時の脱輪防止と走行時の安定性を図っている。また、各支持車輪１０は軸線を後側枠板２Ｂに対して若干斜め上向きに傾斜させてあり、横移動時に収納枠２の前側である接地片２Ａ１を浮かせて傾斜させた状態で、支持車輪１０の軸線が略水平になるようにしてある。これにより、複数個の育苗箱Ａを運ぶ際の荷重は支持車輪１０、１０を介してレール１３で支承させることができるから、小さい力による横移動を可能にして作業効率を高め、作業者の負担を軽減している。
【００１９】
かくして、本実施の形態に係る育苗箱列設機１は、内部に複数個の育苗箱Ａを収納する収納枠２と、該収納枠２に設けられ、操作杆９を操作することにより一対の箱支持材５、５が拡開可能な育苗箱配列機構３と、収納箱２の片側外側に設けた一対の支持車輪１０、１０とから構成してある。
【００２０】
１１は育苗箱列設機１を横移動させながら移設作業をするための金属製の踏み板を示す。１２は該踏み板１１を構成する踏み板体で、該踏み板体１２は長尺の平板部１２Ａと、強度性を持たせるために該平板部１２Ａの長辺及び短辺から下向きに形成された枠辺１２Ｂ、１２Ｂ、１２Ｃ、１２Ｃとから構成してある。１３は支持車輪１０、１０を誘導しつつ支持するためのレールで、該レール１３は平板部１２Ａの上面に長手方向に沿って立設してある。
【００２１】
１４、１４、・・は例えば４個の育苗箱Ａを列設するように、踏み板体１２の前側枠片１２Ｂ下端から倒置Ｌ字状に突出形成した複数のゲージを示す。該ゲージ１４、１４、・・は突出片１４Ａと、該突出片１４Ａの先端から下向きに屈曲形成したゲージ片１４Ｂとから形成してあり、育苗箱Ａの幅を間隔として枠片１２Ｂの長手方向に等間隔に形成してある。横方向に並ぶ一対のゲージ１４、１４は横方向に列設する収納枠２、２の横側の目安になるものであり、ゲージ片１４Ｂは移設済みの収納枠２と移設する収納枠２で挟むようにすることにより、前後に位置する収納枠２、２間の空隙を容易に、かつ正確に形成することができる。
【００２２】
なお、１５は一対の踏み板１１、１１を横方向に連結して一体に前進できるようにするため、踏み板１１の平板体１２に設けた連結ロッドで、該連結ロッド１５は図示しない連結機構により他側の踏み板１１と連結可能になっている。
【００２３】
本実施の形態に係る育苗箱列設装置は上述の構成からなるが、次にその作動について説明する。図７に示すように、先ず育苗床の中央の通路に矢示ハ方向の敷設方向に向けてレール５１を設置し、レール５１上に配備した踏み板移動用の台車５２に横方向に連結した一対の踏み板１１、１１を搭載する。準備が終了したら、育苗床に複数個の育苗箱Ａ、Ａ、・・・を横一列に配列し、その上に踏み板１１、１１を載置した後、４個の育苗箱Ａ、Ａ、・・を収納した育苗箱列設機１を踏み板１１のレール１３に支持車輪１０を介して載置し、収容枠２を進行方向に向かって左側の一対のゲージ１４、１４に合わせて位置決めする。
【００２４】
しかる後、収容枠２の接地片２Ａ１を育苗床に接地させて収容枠２を略水平の状態にする。そして、育苗箱配列機構３の操作杆９を矢示イ方向の前方に押動し、一対の箱支持材５、５を拡開することにより、支持している最下段の育苗箱Ａを育苗床に移設する。次に、操作杆９を矢示ロ方向の手前に引いて箱支持材５、５を狭め、次段の育苗箱Ａを下側から挟持した状態にする。更に、操作杆９を手前に引いて収納枠２の前側を浮かせ、育苗箱配列機構３と３個の育苗箱Ａの重量を支持車輪１０、１０によってレール１３に完全に乗せた状態にし、操作杆９を横方向に押動して収納枠２を次のゲージ１４の位置まで横移動させる。
【００２５】
そして、上述と同様に操作杆９を前方に押動して収納枠２を育苗床に着地させ、支持している育苗箱Ａを育苗床に移設したら、操作杆９を手前に引いて２個目の育苗箱Ａを支持した状態で収納枠２を浮かせ、横移動して次のゲージ１４、１４に位置合せする。このように、移設済みの育苗箱Ａと移設する育苗箱Ａとの間にゲージ１４が介在することにより、両育苗箱Ａ、Ａの間に所定の空隙を容易に形成することができる。
【００２６】
そして、作業者は立った姿勢のままで操作杆９を操作することにより、育苗箱Ａを育苗床に移設する作業、ゲージ１４に育苗箱Ａを位置合せして空隙を形成する作業、横移動といった全ての作業・運動を行うことができるので、作業性が従来技術に対して格段に優れているし、身体的負担を大幅に低減することができる。
【００２７】
なお、本実施の形態では収納枠２の前側及び後側枠板２Ａ、２Ｂに箱支持材５が進入するための横長の開口２Ｄを夫々形成したが、例えば冂字状の切込みを形成してもよいものである。
【００２８】
また、本実施の形態では、一対の箱支持材５、５の回動片６、６間に引張りばね７を張設したが、収納枠２と一の回動片６との間に引張りばね或いは圧縮ばねを張設してもよいものである。
【００２９】
更に、支持車輪１０を誘導する構成として、踏み板１１に凸状のレール１３を設けたが、支持車輪に溝なし車輪を用い、踏み板１１に凵字状やＶ字状の凹溝を設けた構成にしてもよい。
【図面の簡単な説明】
【００３０】
【図１】本考案の実施の形態に係る育苗箱列設装置を一部を破断にして示す部分斜視図である。
【図２】育苗箱列設装置の側面図である。
【図３】育苗箱列設装置の平面図である。
【図４】踏み板の部分斜視図である。
【図５】箱支持材を拡開した状態で示す育苗箱列設装置の側面図である。
【図６】収納枠を傾斜させてレールに支持させた状態を示す育苗箱列設装置の側面図である。
【図７】育苗箱列設装置を用いる育苗箱列設作業の説明図である。
【符号の説明】
【００３１】
１        育苗箱列設機
２        収納枠
３        育苗箱配列機構
５        箱支持材
７        引張りばね
９        操作杆
１０      支持車輪
１１      踏み板
１３      レール（ガイド部）
１４      ゲージ
【図１】
0003127527.tif 000003
【図２】
0003127527.tif 000004
【図３】
0003127527.tif 000005
【図４】
0003127527.tif 000006
【図５】
0003127527.tif 000007
【図６】
0003127527.tif 000008
【図７】
0003127527.tif 000009